(57)【要約】【課題】多チャンネル化に伴い、ユーザーが記録したいコンテンツが、同一時刻に放送時間が重複したコンテンツの双方に対しダイジェスト情報を作成できないため、使い勝手がよくない。【解決手段】複数のデジタル映像信号を同時に記録し各々に対してダイジェストを作成し再生時間を短縮する再生装置において、入力されたデジタル映像信号から、特定フレームを検出し再生位置情報として記録媒体に記録し、第１のデコーダにおいて、デジタル映像信号の全体をデコードし、第２のデコーダにおいて、再生位置情報のデジタル映像信号のみをデコードし、第２のデコーダの出力を前記ダイジェスト生成部のダイジェスト生成信号とする。【選択図】図５
2009004850.tif 000002
【特許請求の範囲】
【請求項１】
複数のデジタル映像信号を同時に記録し、各々に対してダイジェストを作成し再生時間を短縮する再生装置において、
入力されたデジタル映像信号から、特定フレームを検出し再生位置情報として記録媒体に記録する少なくとも１つ以上の記録制御部と、
デジタル映像信号の全体を前記記録媒体に記録する記録部と、
前記再生位置情報に該当した期間のデジタル映像信号のみを時分割に読み出す再生制御部と、
第１のデコーダ及び第２のデコーダと、
前記ダイジェストを生成するダイジェスト生成部を備えており、
前記第１のデコーダにおいて、前記デジタル映像信号の全体をデコードし
前記第２のデコーダにおいて、前記再生位置情報のデジタル映像信号のみをデコードし、
前記第２のデコーダの出力を前記ダイジェスト生成部のダイジェスト生成信号とすることを特徴とするデジタル映像信号のダイジェスト再生装置。
【請求項２】
複数の前記再生位置情報を読み出す際に、１フレームごとに異なるコンテンツのデジタル映像信号を読み出すことを特徴とする請求項１に記載のデジタル映像信号のダイジェスト再生装置。
【請求項３】
前記ダイジェストの生成を、既に設定した時間以外の任意の時間に設定処理することを特徴とする請求項１に記載のデジタル映像信号のダイジェスト再生装置。
【請求項４】
複数の前記再生位置情報を読み出す際に、コンテンツ毎に順番に読出し、１つのコンテンツとしてダイジェストを生成することを特徴とする請求項１に記載のデジタル映像信号のダイジェスト再生装置。
【請求項５】
前記複数のデジタル映像信号は放送信号であり、前記特定フレームはＭＰＥＧ２トランスポートストリーム中に含まれるＩピクチャであることを特徴とする請求項１に記載のデジタル映像信号のダイジェスト再生装置。
【発明の詳細な説明】
【技術分野】
【０００１】
本発明は、デジタル映像信号を記録媒体に記録再生するデジタル信号再生装置に関し、
特に記録したコンテンツ全体の中より、ダイジェスト部分のみ再生を行う機能を有した再生装置に関する。
【背景技術】
【０００２】
現在、デジタル放送が一般化され、多チャンネル化が進んでいる。
同時に、番組（コンテンツ）を記録するハードディスクドライブ装置（以後ＨＤＤと呼ぶ）や光ディスクの容量も増加し、膨大な数のコンテンツを蓄積することが可能となってきている。そのため、ユーザーに対しては、録画したコンテンツを効率的に視聴するために、コンテンツの要約のみを視聴することを可能としたダイジェスト再生が普及している。
【０００３】
ダイジェスト再生の例としては、ダイジェスト再生の時間帯をユーザーが容易に設定可能とした発明として、特許文献１に紹介されている。また、映像中の重要な場面を検出する方法としては、動画像をフレーム単位で時系列に処理し、輝度及び色差信号の変化により判定を行う方法が特許文献２に紹介されている。
【特許文献１】特開２００４−３２００９２号公報
【特許文献２】特開２００４−２９５９２３号公報
【発明の開示】
【発明が解決しようとする課題】
【０００４】
多チャンネル化に伴い、ユーザーが記録したいコンテンツが、同一時刻に放送時間が重複するケースが想像される。このとき、前記の発明においては、複数コンテンツに関しての実現手段は開示されていないため、ダイジェスト情報を作成できるコンテンツは、１コンテンツに制限されてしまい使い勝手がよくない。
【課題を解決するための手段】
【０００５】
本発明のデジタル映像信号のダイジェスト再生装置では、複数のデジタル映像信号を同時に記録し、各々に対してダイジェストを作成し再生時間を短縮する再生装置において、入力されたデジタル映像信号から、特定フレームを検出し再生位置情報として記録媒体に記録する少なくとも１つ以上の記録制御部と、デジタル映像信号の全体を前記記録媒体に記録する記録部と、前記再生位置情報に該当した期間のデジタル映像信号のみを時分割に読み出す再生制御部と、第１のデコーダ及び第２のデコーダと、前記ダイジェストを生成するダイジェスト生成部を備えており、前記第１のデコーダにおいて、前記デジタル映像信号の全体をデコードし、前記第２のデコーダにおいて、前記再生位置情報のデジタル映像信号のみをデコードし、前記第２のデコーダの出力を前記ダイジェスト生成部のダイジェスト生成信号とすることを特徴とする。
【発明の効果】
【０００６】
本発明は以上の点を考慮してなされたもので、デジタル放送等の映像信号に対して、同時刻に放送されたコンテンツに対して、双方ともにダイジェスト再生ができるシステムが提供できる。また、記録されたコンテンツ群に対しても、ダイジェスト再生ができることにより、ダイジェスト再生の使い勝手が向上する。
【発明を実施するための最良の形態】
【０００７】
以下、本発明による記録再生装置の実施の形態について説明する。
【実施例１】
【０００８】
（概略）：ダイジェスト再生の概要
図１にダイジェスト再生の概要を示す。１００は記録しているコンテンツの全ストリームであり、例えば２時間のコンテンツの場合は、Ｔ１が２時間に該当する。この全ストリームからダイジェスト情報１０１、１０２、１０３、１０４を作成し、再生時にはダイジェスト情報の期間のみを行うことにより、例えばＴ２が５分のダイジェスト再生を行うことができる。
【０００９】
図２はタイマー記録を設定するユーザーインタフェース画面の一例であり、特にダイジェスト再生設定を有効にした一実施例である。番組情報を表示すると時間情報２０１と各チャンネル毎の番組情報２０２〜２０５が表示される。ユーザーの操作により、例えばチャンネル１：２０２のコンテンツ：ＡＡＡをダイジェスト再生機能をＯＮ設定したことにより、登録済みを示すマーク：☆が表示される。またダイジェスト再生機能をＯＦＦとし、ただ記録したコンテンツは記録のみを示すマーク：●が表示される。
【００１０】
図３は、ダイジェスト再生機能を有したレコーダの概略図を示し、デジタル放送のアンテナ３０１から受信したコンテンツを記録再生装置３０２で受信および記録再生を行い、再生したコンテンツをフラットパネルディスプレイ等の表示装置３０３に出力する構成となる。ユーザーからの操作はおもにリモコン３０４から行われる。
【００１１】
図４は、ダイジェスト再生の動作概略を示すフロー図である。電源投入から、コンテンツの記録設定がＳ４０１〜Ｓ４０８のフローであり、タイマー記録開始から終了までがＳ５０１〜Ｓ５１０であり、ダイジェスト再生開始から終了までがＳ６０１〜Ｓ６１１を示す。
【００１２】
起動時は、記録再生装置３０２の電源を起動し（Ｓ４０１）、リモコン３０４により番組情報を表示するように選択する（Ｓ４０２）。表示装置３０３には、図２に示す番組情報が表示され、記録するコンテンツを選択し（Ｓ４０３）、さらにダイジェスト再生機能の選択を促す（Ｓ４０４）。記録設定がなされると、管理情報にコンテンツ情報を登録し（Ｓ４０５）、番組情報の表示を終了し（Ｓ４０６）、電源をＯＦＦする（Ｓ４０７）。
番組情報を表示しても記録設定を選択しない場合はユーザーによる電源ＯＦＦの待ちに入る（Ｓ４０７）。電源がＯＦＦとなり記録設定が終了する（Ｓ４０８）。
【００１３】
次に、タイマー記録５０１の動作に移行する。タイマー記録に設定された時間が来るまでスタンバイ状態で待機し（Ｓ５０２）、タイマーの時間になった時点で（Ｓ５０３）、スタンバイモードを解除し（Ｓ５０４）、コンテンツと管理情報を記録する（Ｓ５０５）。
これと同時にダイジェスト情報を生成し（Ｓ５０６）、同じく記録媒体に記録する（Ｓ５０７）。予約終了時間に達するまで記録を続ける（Ｓ５０８）。予約番組の終了時間が来た時点で記録を終了し、電源をＯＦＦする（Ｓ５０９）。
【００１４】
次にダイジェスト再生を実行するにあたっては（Ｓ６０１）、再度電源を起動し（Ｓ６０２）、記録情報の表示をリモコン３０４で選択する（Ｓ６０３）。ダイジェスト再生が設定されたコンテンツを再生すると（Ｓ６０４）、ダイジェスト情報を読み出し（Ｓ６０５）、該当する管理情報の示すアドレスのデータを読み出す（６０６）。これによりコンテンツの再生が開始され（Ｓ６０７）、コンテンツが終了するまで再生する（Ｓ６０８）。ここでダイジェスト再生を設定していない場合は、通常の再生モードとなる。
【００１５】
ダイジェスト再生の結果が図１中のＴ２の期間で、全期間再生した場合はＴ１の期間となる。ダイジェスト再生終了時には、視聴済みがわかるようなマークに更新し（Ｓ６０９）、電源を切り（Ｓ６１０）終了となる（Ｓ６１１）。この構成でダイジェスト機能を実現する。
【００１６】
(概略構成)：ダイジェスト再生の構成概要
図５にダイジェスト再生を実現する具体的な構成例を示すブロック図である。図中６０１、６０２は地上波デジタル放送や放送用衛星などの中継局からの電波を受信する入力端子であり、入力されたＲＦ帯域の電波は、チューナ受信部６０３、６０４でＩＦ帯域(Intermediate  Frequency)に周波数変換され、受信チャネルに依存しない一定の帯域の信号として、復調された後、ビットストリームに伝送のために施された変調操作を復調する。
【００１７】
また、伝送途中で発生した符合の誤りを検出しさらには訂正した後、例えばＭＰＥＧ（Moving  Picture  Experts  Group）規格を用いて高能率にディジタル圧縮されたストリームが得られる。このストリームにつき伝送暗号の解除を行った後、プログラムが多重化されている１トランスポンダ周波数を選択し、この選択した１トランスポンダ内のビットストリームを１プログラムのオーディオとビデオのパケットに分離化する。前記パケットは、ストリーム処理部６０５、６０６に供給される。
【００１８】
前記ストリーム処理部６０５，６０６に供給されるストリームの一実施例を図６、７に示す。このデジタル信号は、画像／音声のストリームをＭＰＥＧ２方式によりコード化したエレメンタリーストリーム（Elementary
Stream）を、共通のタイムベースごとにＰＥＳ（Packetized  Elementary  Stream）パケットに取り込み、前記ＰＥＳパケットを複数結合したトランスポートストリーム（以下ＴＳとする）というストリームで供給される。
【００１９】
再生時においては、ＭＰＥＧ２で符号化された画像データは、前後の画像データをもとにして作られているため１画像だけで完結した情報にはならない。そのため何枚かの画像データを一まとめにしたＧＯＰ(Group  of  Picture)を単位として、ランダム・アクセスを可能な構成としている。
【００２０】
図６（ａ）は、ＭＰＥＧ２方式によるＧＯＰ内の画像の並びを示す図であり、図６（ｂ）は、ＭＰＥＧ２方式の復号化処理による画像表示順序を示す図である。ＧＯＰは、図６（ａ）に示すように、Ｉピクチャ（ピクチャ内符号化画像）が少なくとも１つ含まれている。Ｉピクチャは、ＤＣＴ(Discrete  Cosine  Transform：離散コサイン変換)、量子化によってＩピクチャの画像データを符号化したものである。
【００２１】
Ｉピクチャは、その情報だけから符号化された画像であり、ピクチャ間予測を使わずに生成される。このＩピクチャから所定の周期Ｔ毎の１画像は、順方向のピクチャ間予測符号化によってＰピクチャ（ピクチャ間予測符号化画像）に変換される。
【００２２】
これらＩピクチャ、Ｐピクチャは、原画像と同じ順序で符号化される。また、Ｉピクチャ、Ｐピクチャ間における各画像データは、前方および後方の画像データ（Ｉピクチャ、Ｐピクチャ）を用いた双方向予測符号化によってＢピクチャ（双方向予測符号化画像）に変換される。
【００２３】
このＢピクチャは、先にＩピクチャ、Ｐピクチャを符号化した後に符号化される。ＭＰＥＧ２方式で符号化されたディジタルデータを有するＰＥＳパケットデータは、上記のような構成で記録媒体上に記録される。
【００２４】
画像データの復号時には、図６（ｂ）に示すように、ピクチャ内のデータのみで符号化されたＩピクチャがまず復号化され、次に順方向のピクチャ間予測を用いて符号化されたＰピクチャが復号化され、最後に双方向予測を用いて符号化されたＢピクチャが復号化される。
【００２５】
そして、再生画像は、図６（ｃ）に示すように、時間ｔ方向で、Ｂ０，Ｂ１，Ｉ１，Ｂ２，Ｂ３，Ｐ０，Ｂ４，Ｂ５，Ｐ１，・・・のようにして再生される。この構成の記録再生装置において、フレーム内符号化されたＩピクチャのみ再生することにより、倍速再生，逆再生，タイムサーチなどといった特殊再生が実現できる。またダイジェスト情報を生成する信号としても用いることもできる。
【００２６】
図７は、ＭＰＥＧ２ＴＳパケットの構成を示す図であり、図７（ａ）に示すＴＳパケット１内には、図７（ｂ）に示すような同期符号、パケットＩＤ、ペイロード（情報）等が含まれている。また、図７（ｂ）のペイロード（情報）内には、ピクチャスタートコード、ピクチャコードタイプ（３ビット）等の情報が含まれている。Ｉピクチャは、パケットＩＤ、ピクチャコードタイプを検出することで到来したパケット内にＩピクチャが存在するか検出することができる。前記ストリーム処理部６０５、６０６は前記のＩピクチャを検出しさらにタイムスタンプを付加する機能等を有する。
【００２７】
暗号部６０７は前記ストリーム処理部６０６、６０７から供給されるストリームを暗号化しコンテンツの著作権を保護する機能を有する。暗号化されたストリームは記録再生制御部６０８、バッファ制御部６１０、第１の記録媒体６１１を介して、間欠的に第２の記録媒体６０９に記録される。
【００２８】
それと同時に記録されたストリームからストリーム処理部６０５、６０６により検出されたＩピクチャのフレームのみを前記第２の記録媒体６０９から読み出す。また、同時に記録しているストリームのどちからを視聴するために全ストリームを読み出す。
【００２９】
これらのストリームは復号部６１２で暗号が解除され、映像音声分離部６１３に全ストリームと、Ｉピクチャのみのダイジェスト情報を生成用のストリームの２種類のストリームとして供給される。前記映像音声分離部６１３から供給されたＩピクチャのみのダイジェスト情報生成用ストリームは、第１のデコーダ６１４にて映像信号にデコードされ、表示制御部６１６にて、再パケット化され、ダイジェストストリーム生成部６１７に供給される。
【００３０】
図８（ａ）は再パケットされた映像信号の一例であり、ＲＥＣ６５６フォーマットに該当する。また、図８（ｂ）は、ＲＥＣ６５６フォーマットの無効情報期間にチャンネル情報を入れた例である。
【００３１】
ダイジェストストリーム生成部６１７では、無効期間にコンテンツ毎にユニークな番号を付した後、演算制御部６１８に映像信号を供給する。前記演算制御部は例えばデジタルシグナルプロセッサ等で構成され、供給される映像信号から特徴データを演算し、ダイジェスト情報を生成する。生成したダイジェスト情報は、前記記録再生制御部６０８により、第２の記録媒体６０９に記録されていく。
【００３２】
また、前記映像音声分離部６１３では、視聴用の全ストリームは映像と音声に分離したのち、映像ストリームを第２のデコーダ６１５に供給し、ストリームから映像信号に伸張したのち表示部６１６を介して外部モニタへ出力端子６１９から出力する。音声ストリームは音声制御部６２０にてデコードのち、デジタル／アナログ変換器６２１を介して、出力端子６２２からスピーカ等の外部機器に接続される。６２３はＣＰＵであり、記録再生制御装置６００の制御を統括する。
【００３３】
図９は、記録再生装置６００において、同時間帯に別のコンテンツを記録し且つ、ダイジェスト再生機能を双方とも有効にしたユーザー設定画面の一実施例を示す。１８：００からのチャンネル１のコンテンツＡＡＡとチャンネル３のコンテンツＧＧＧが最初から１時間重複した例であり、このときの例えばコンテンツＡＡＡはチューナ受信部６０３からの経路で処理をし、コンテンツＧＧＧはチューナ受信部６０６からの経路で処理をする。
【００３４】
図１１（ａ）は第２の記録媒体にコンテンツを記録する際の管理情報を示し、図１１（ｂ）はＩピクチャの検出テーブルの一実施例を示す。例えば、コンテンツＡＡＡがファイル番号１に、コンテンツＧＧＧがファイル番号２に該当する。
【００３５】
ダイジェスト生成用ストリーム７００と８００は、このファイル番号１とファイル番号２のＩピクチャを先頭から交互に読み出すことにより、前記ダイジェストストリーム生成部６１７でのチャンネルの振り分けが容易になる。
【００３６】
前記演算制御部６１８で生成されたダイジェストシーンが７０２、７０３、７０４，８０２、８０３、８０４、８０５となり、双方のコンテンツともに再生するアドレスが確定されダイジェスト再生が可能となる。
【実施例２】
【００３７】
（空き時間でダイジェスト情報生成）
図１２は、ダイジェスト再生を実施する時間帯を任意に設定可能とした一実施例を示す図である。記録した日付情報１１０１、時間情報１１０２、チャンネル情報１１０３、番組情報１１０４、記録モード１１０５、ダイジェスト欄１１０６から構成される。
【００３８】
図１２（ａ）中のダイジェスト欄１１０６に●が付されていない箇所が、記録時にダイジェスト設定をしていないコンテンツを示す。図１２（ｂ）は、コンテンツ○○×××に対して、ダイジェスト再生を行えるように再設定した例を示す。ユーザーによりリモコン等でダイジェスト欄１１０６を選択し、ダイジェスト再生を再設定した場合に例えば○をマーキングする。
【００３９】
このマーキングされたコンテンツに対して例えば、タイマー録画が設定されていない時間帯を利用してダイジェスト情報を生成する例を図１３に示す。タイマー記録が設定されていない時間帯を表示し、空いたタイムスロットをユーザーが任意に設定することにより、例では３月３日の０：００から５：００の間でダイジェスト情報の生成が実施される。
ダイジェスト情報が生成されるとユーザーインタフェース画面では、図１２（Ｃ）に示すようにダイジェスト欄が●に変化し、さらに視聴したコンテンツについては視聴済みを示す◎に変更する。これにより、一度視聴したコンテンツが容易に確認できる。
【実施例３】
【００４０】
（複数コンテンツに対してのダイジェスト生成）：図１４は、例えば連続ドラマや、スポーツのトーナメント等のコンテンツに対して、一つのダイジェスト再生を可能とした一実施例を示す。図中のダイジェスト欄１１０６にユーザーにより、▽マークを該当するコンテンツに対してマーキングする。この▽マークの付いたコンテンツに対して記録日時の古い順にダイジェスト情報を生成する。
【００４１】
Ｉピクチャ情報の読み出しは、コンテンツごとに区切って読み出すことにより、例えばドラマの１話から１１話までのダイジェスト再生を容易に視聴することができるため、使い勝手が向上した再生装置となる。
【図面の簡単な説明】
【００４２】
【図１】ダイジェスト再生の概要を示すブロック図である。
【図２】番組情報画面の一実施例を示す図である。
【図３】ダイジェスト再生装置の概要を示すブロック図である。
【図４】ダイジェスト再生の動作概要を示すフロー図である。
【図５】本発明の実施例１のダイジェスト再生装置の形態を示すブロック図である。
【図６】本発明の実施例１におけるＭＰＥＧ２方式のＧＯＰ構成を示す図である。
【図７】本発明の実施例１におけるＴＳパケットの構成及びピクチャ層を示す図である。
【図８】本発明の実施例１におけるダイジェスト生成ストリームの構成を示す図である。
【図９】本発明の実施例１のダイジェスト再生の概要を示す図である。
【図１０】本発明の実施例１の番組情報画面の一例を示す図である。
【図１１】本発明の実施例１の記録媒体に記録されたデータの一例を説明するための図である。
【図１２】本発明の実施例２の記録番組情報のユーザーインタフェースの一例を示す図である。
【図１３】本発明の実施例２の記録番組情報のユーザーインタフェースの一例を示す図である。
【図１４】本発明の実施例３の記録番組情報のユーザーインタフェースの一例を示す図である。
【符号の説明】
【００４３】
１００    コンテンツ
１０１、１０２、１０３、１０４    ダイジェスト情報
２００    ユーザーインタフェース画面
２０１    時間情報
２０２、２０３、２０４、２０５    番組情報
３０１    アンテナ
３０２    記録再生装置
３０３    表示装置
３０４    リモコン
６０１、６０２    入力端子
６０３、６０４    チューナ受信部
６０５、６０６    ストリーム処理部
６０７    暗号部
６０８    記録再生制御部
６０９、６１１    記録媒体
６１０    バッファ制御部
６１２    復号部
６１３    映像音声分離部
６１４、６１５    デコーダ
６１６    表示処理部
６１７    ダイジェストストリーム生成部
６１８    演算制御部
６１９、６２２    出力端子
６２０    音声制御部
６２１    音声ＤＡＣ
６２３    ＣＰＵ
７００    コンテンツ
７０１    ダイジェストシーン検出用映像信号
７０２、７０３、７０４    ダイジェスト情報
８００    コンテンツ
８０１    ダイジェストシーン検出用映像信号
８０２、８０３、８０４、８０５    ダイジェスト情報
７０１、８０１    ダイジェストシーン検出用映像信号
１１０１、１２０１    日付情報
１１０２、１２０２    時間情報
１１０３、１２０３    チャンネル情報
１１０４、１２０４    番組情報
１１０５、１２０５    記録モード
１１０６、１２０６    ダイジェスト欄
【図１】
2009004850.tif 000003
【図２】
2009004850.tif 000004
【図３】
2009004850.tif 000005
【図４】
2009004850.tif 000006
【図５】
2009004850.tif 000007
【図６】
2009004850.tif 000008
【図７】
2009004850.tif 000009
【図８】
2009004850.tif 000010
【図９】
2009004850.tif 000011
【図１０】
2009004850.tif 000012
【図１１】
2009004850.tif 000013
【図１２】
2009004850.tif 000014
【図１３】
2009004850.tif 000015
【図１４】
2009004850.tif 000016